(57)【要約】【課題】電力供給会社側において、電力需要家側の設備機器の変更を自動的に把握できる設備機器情報管理システムを提供すること。【解決手段】厨房機器５０と、スマートメータ２０と、専用ブレーカ３６と、スマートメータ２０と、電力供給会社側の管理部５とを備える設備機器情報管理システム１であって、厨房機器５０は、機器仕様情報を記憶する記憶部５２を備え、専用ブレーカ３６は、一次ロック部と、二次ロック部とを備え、一次ロック部は、専用ブレーカ３６が厨房機器５０を確認できた場合にスマートメータ２０から送られる一次ロック解除の指示情報によって解除され、二次ロック部は、一次ロック部が解除されかつ専用ブレーカ３６のスイッチが操作されたことを条件にスマートメータ２０から二次ロック解除の指示情報によって解除される。そして、スマートメータ２０は、厨房機器５０から機器仕様情報を取得して、管理部５に送信する。【選択図】図１
2016135082.tif 000002
【特許請求の範囲】
【請求項１】
設備機器と、当該設備機器に接続されるスマートメータと、前記設備機器と前記スマートメータとの間に設けられる専用ブレーカと、前記スマートメータにネットワークを介して接続される電力供給会社側の管理部とを備える設備機器情報管理システムであって、
前記設備機器は、当該設備機器の機器仕様情報を記憶する記憶部を備え、
前記専用ブレーカは、前記設備機器への電力供給又は遮断を切り替えるスイッチレバーの操作を受け付けない状態にする一次ロック部、及び前記スイッチレバーの操作を物理的に規制する二次ロック部を備え、
前記一次ロック部は、専用ブレーカが前記設備機器を確認できた旨を前記スマートメータに送信し、前記スマートメータから一次ロック解除の指示情報を受信した場合に解除され、
前記二次ロック部は、前記一次ロック部が解除されかつ前記専用ブレーカに設けられたスイッチが操作されたことを条件に前記専用ブレーカが前記スマートメータに向けて所定の情報を送信し、前記スマートメータから二次ロック解除の指示情報を受信した場合に解除され、
前記スマートメータは、前記スイッチレバーを操作して前記設備機器への電力供給を可能にすることによって前記設備機器と送受信可能になり、前記記憶部から機器仕様情報を取得して、前記管理部に送信し、
前記管理部は、前記設備機器から受信した機器仕様情報と契約条件との照合チェックを行うことを特徴とする設備機器情報管理システム。
【請求項２】
前記記憶部は、二次元バーコードからなり、
当該二次元バーコードから読み取った機器仕様情報を前記スマートメータに送信する二次元バーコード読取部を更に備えることを特徴とする請求項１記載の設備機器情報管理システム。
【請求項３】
前記二次元バーコードは、コンセントに差し込まれる前記設備機器のプラグにおける前記コンセントに対向する面に形成され、
前記二次元バーコード読取部は、前記コンセントに備えられることを特徴とする請求項２記載の設備機器情報管理システム。
【発明の詳細な説明】
【技術分野】
【０００１】
本発明は、電力供給会社側において電力需要家が使用する設備機器を管理する設備機器情報管理システムに関する。
【背景技術】
【０００２】
従来、電力供給会社においては、電力需要家（以下、単に需要家と称する）が使用している設備機器の仕様情報を取得し、この仕様情報に基づいて、需要家に対して最適な契約メニューを提案するサービスを行っている。そして、需要家が納得した上で審査が行われ、契約に至る。
【０００３】
ところで、需要家が使用している設備機器の仕様情報は、需要家からの申し出や、電力供給会社の訪問員の個別訪問による聞き取り等によって取得される。しかし、需要家が使用している設備機器は常に同じではなく、機器の経年劣化や故障等のトラブルによる買い替えや、譲渡された設備機器を使用する場合もある。
【０００４】
このため、需要家は、設備機器情報に変更があった場合にはその旨電力供給会社に申し出る必要がある。しかし、設備機器の仕様情報は、需要家側で正確に把握しているとは限らないため、需要家は説明書を調べる必要がある。このように、設備機器情報の変更を電力供給会社側に説明することは、需要家側にとって負担が大きい。
【０００５】
また、電力供給会社側において、膨大な需要家への訪問活動等による機器情報の入手業務は、訪問員にとって大変な労力が必要となる。
【０００６】
また、情報自体も入手した時点のものであり、需要家がいつ何時新増設するか不透明な状態にあるので現時点の機器情報とは異なる場合がある。このため、変更申し出を行わなかった機器が新規増設されしかも使用された場合においては、契約違反に繋がる可能性も否定できない。
【０００７】
そこで、電力供給会社側において、需要家側の設備機器の変更を自動的に把握できるようなシステムの出現が望まれる。これにより、需要家側にとっては、設備機器情報に変更があった場合にその旨電力供給会社に申し出る必要がなくなることや、電力供給会社側にとっては、設備機器の変更に基づく新たな契約メニューを早期に提示することが可能になる、といった効果が期待できる。
【０００８】
また、従来、特許文献１に記載された技術がある。特許文献１には、専用機器ごとに予め設定された電力使用のパターンをその機器として認識する方式について記載されている。
【先行技術文献】
【特許文献】
【０００９】
【特許文献１】特開２００９−７７５３６号公報
【発明の概要】
【発明が解決しようとする課題】
【００１０】
しかし、特許文献１記載の方式では、変更された機器と類似した電力使用のパターンの機器が存在する場合に、変更された機器を正確に特定することは困難である。
【００１１】
本発明は、電力供給会社側において、需要家側の設備機器の変更を自動的に把握できる設備機器情報管理システムを提供することを目的とする。
【課題を解決するための手段】
【００１２】
前記目的を達成するため、本発明者は、次に記載する構成を備えている。
【００１３】
（１）  設備機器と、設備機器に接続されるスマートメータと、前記設備機器と前記スマートメータとの間に設けられる専用ブレーカと、前記スマートメータにネットワークを介して接続される電力供給会社側の管理部とを備える設備機器情報管理システムであって、前記設備機器は、当該設備機器の機器仕様情報を記憶する記憶部を備え、前記専用ブレーカは、前記設備機器への電力供給又は遮断を切り替えるスイッチレバーの操作を受け付けない状態にする一次ロック部と、前記スイッチレバーの操作を物理的に規制する二次ロック部を備え、前記一次ロック部は、専用ブレーカが前記設備機器を確認できた旨を前記スマートメータに送信し、前記スマートメータから一次ロック解除の指示情報を受信した場合に解除され、前記二次ロック部は、前記一次ロック部が解除されかつ前記専用ブレーカに設けられたスイッチが操作されたことを条件に前記専用ブレーカが前記スマートメータに向けて所定の情報を送信し、前記スマートメータから二次ロック解除の指示情報を受信した場合に解除され、前記スマートメータは、前記スイッチレバーを操作して前記設備機器への電力供給を可能にすることによって前記設備機器と送受信可能になり、前記記憶部から機器仕様情報を取得して、前記管理部に送信し、前記管理部は、前記設備機器から受信した機器仕様情報と契約条件との照合チェックを行うことを特徴とする設備機器情報管理システム。
【００１４】
（１）によれば、新たな設備機器が専用ブレーカに接続された場合には、一次ロック解除、二次ロック解除という手順を踏むことにより設備機器に電力が供給され、スマートメータとの間で通信可能になる。また、スマートメータは、一次ロック解除、二次ロック解除の過程で、新たな設備機器が専用ブレーカに接続されたことを把握しているため、スマートメータは、新たな設備機器の記憶部から機器仕様情報を取得して、需要家側の設備機器の変更を電力供給会社側の管理部に送信することができる。このように、需要家による自由な設備機器の使用を制限しつつ、電力供給会社側の管理部が自動的に設備機器の機器仕様情報を把握できるようになり、需要家が使用する設備機器に応じた契約メニューを需要家に提案することが可能になる。
【００１５】
（２）  （１）において、当該二次元バーコードから読み取った機器仕様情報を前記スマートメータに送信する二次元バーコード読取部を更に備えることを特徴とする設備機器情報管理システム。
【００１６】
（３）  （１）、（２）において、前記二次元バーコードは、コンセントに差し込まれる前記設備機器のプラグにおける前記コンセントに対向する面に形成され、前記二次元バーコード読取部は、前記コンセントに備えられることを特徴とする設備機器情報管理システム。
【発明の効果】
【００１７】
本発明によれば、需要家が新たな設備機器を使用しようとしても、スマートメータからロック解除の情報をしない限り、設備機器に電力が供給されないため、需要家による自由な設備機器の使用に制限がかけられる。また、電力供給会社側にとっては、需要家が新たな設備機器を設置した設備機器の機器仕様情報を容易に取得できるため、需要家が使用する設備機器に応じた契約メニューを需要家に容易に提案することが可能になる。
【図面の簡単な説明】
【００１８】
【図１】本発明の一実施形態における設備機器情報管理システム１の構成を示す説明図である。
【図２】専用ブレーカ３６の外観を示す説明図である。
【図３】専用ブレーカ３６付近の回路図である。
【図４】厨房機器５０のプラグ５４の正面図である。
【図５】厨房機器５０のプラグ５４を差し込むコンセント３８の外観を示す説明図である。
【図６】コンセント３８の内部構成を示す説明図である。
【図７】専用タップ５６ａに設けられた二次元バーコード読取部５８の構成を示すブロック図である。
【図８】サーバ１０、機器管理システム１１、スマートメータ２０及び専用ブレーカ３６が備える機能を示す説明図である。
【図９】設備機器情報管理システム１において実施される処理を示すフローチャートである。
【図１０】設備機器情報管理システム１において実施される処理を示すフローチャートである。
【図１１】設備機器情報管理システム１において実施される処理を示すフローチャートである。
【図１２】設備機器情報管理システム１において実施される処理を示すフローチャートである。
【図１３】設備機器情報管理システム１において実施される処理を示すフローチャートである。
【発明を実施するための形態】
【００１９】
以下、本発明の実施形態について、図面を参照しながら詳細に説明する。
【００２０】
［システム構成］
図１は、本発明の一実施形態における設備機器情報管理システム１の構成を示す説明図である。
【００２１】
設備機器情報管理システム１は、管理部５と、スマートメータ２０と、スマート分電箱３０と、需要家端末４０と、設備機器に相当する厨房機器５０と、ネットワーク７０と、を含んで構成されている。
【００２２】
管理部５は、電力供給会社側の設備であり、スマートメータ２０、スマート分電箱３０、需要家端末４０及び厨房機器５０は、需要家側の設備である。なお、本実施形態においては、需要家がレストランのような飲食店を経営する場合を例として説明する。
【００２３】
管理部５は、サーバ１０と、機器管理システム１１と、を備えている。
【００２４】
サーバ１０には、需要家を特定する情報や、契約内容、需要家が使用している厨房機器５０の機器仕様情報等が需要家に関連付けられて記憶されている。
【００２５】
機器管理システム１１は、サーバ１０に記憶されている、厨房機器５０からスマートメータ２０を経由して送られる機器仕様情報に基づいて、需要家における電力の使用状況を管理する。
【００２６】
スマートメータ２０は、需要家のレストランの家屋に設置され、使用電力量を計測する電力量計であり、使用電力量をデジタル計測する機能と、使用電力量の指示数を所定時間毎に電力供給会社等に自動送信する機能と、電力供給会社からの情報を受信して、その情報をスマート分電箱３０や需要家端末４０に送信する機能等を備えている。
【００２７】
スマート分電箱３０は、主幹ブレーカ３２と、分岐ブレーカ３４と、専用ブレーカ３６と、を備えている。主幹ブレーカ３２は、電力供給会社からの交流電力を分岐ブレーカ３４及び専用ブレーカ３６に出力する。分岐ブレーカ３４は、主幹ブレーカ３２からの電力を負荷機器へ供給する。専用ブレーカ３６は、厨房機器５０を利用可能にするブレーカであり、主幹ブレーカ３２からの電力を厨房機器５０へ供給する。この専用ブレーカ３６は、分岐ブレーカ３４よりも多量の電気を供給することができる。
【００２８】
需要家端末４０は、例えば、電力供給会社からスマートメータ２０に送信された情報、例えば、契約に関する案内情報、電気料金や停電等の情報をモニタ表示したり、需要家の操作によって管理部５に対して各種の情報を送信したりする機能を備えている。
【００２９】
厨房機器５０は、スマートメータ２０と送受信を行う機能、及びスマートメータ２０を介してサーバ１０と送受信を行う機能を有している。また、厨房機器５０は、厨房機器５０を識別する識別情報（型番）や、厨房機器５０の使用電力などの厨房機器５０の機器仕様情報を記憶する記憶部５２を備えている。本実施形態によれば、この記憶部５２は二次元バーコード５２ａ（図４参照）からなる。なお、詳細については後述するが、本実施形態の設備機器情報管理システム１によれば、記憶部５２に記憶されている情報が、スマートメータ２０を介してサーバ１０に送信される。
【００３０】
［専用ブレーカの構成］
図２は専用ブレーカ３６の外観を示す説明図であり、専用ブレーカ３６は、スイッチレバー３６ａと、ロック部３６ｂと、ＬＥＤ３６ｃと、スイッチに相当する押しボタン３６ｄと、を備えている。
【００３１】
スイッチレバー３６ａは、交流電源から厨房機器５０への電力の供給及び遮断を決定するものであり、図３を用いて後述する交流回路Ａに設けられたスイッチ３９ａ、３９ａの開閉を行う。
【００３２】
ロック部３６ｂは、スイッチレバー３６ａの操作の規制及び規制解除を行うものであり、規制されている場合にスイッチレバー３６ａは「切」に固定され、規制解除の場合にスイッチレバー３６ａは「入」への切替が可能になる。
【００３３】
ＬＥＤ３６ｃは、点灯（点滅）することで需要家に対して所定の情報を報知する。
【００３４】
押しボタン３６ｄは、ロック部３６ｂを作動させて、スイッチレバー３６ａの操作の規制を解除するためのボタンである。ここで、ＬＥＤ３６ｃが消灯の場合には、押しボタン３６ｄを押下してもロック部３６ｂは作動しない。ＬＥＤ３６ｃが点滅の場合には、押しボタン３６ｄを押下することによってロック部３６ｂが作動する。すなわち、ＬＥＤ３６ｃの点滅は、ロック部３６ｂによる規制（二次ロック）を解除可能な状態にあることを需要家（工事担当者）に報知している。
【００３５】
図３は、専用ブレーカ３６付近の回路図であり、専用ブレーカ３６には、交流回路Ａと、直流回路Ｄとの２つの電気回路が接続されている。
【００３６】
交流回路Ａは、交流電源（商用電源）を含んで構成され、負荷（厨房機器５０）が接続された状態でスイッチ３９ａが入り状態になることで成立する。交流回路Ａのスイッチ３９ａは、スイッチレバー３６ａに基づいて開閉する。
【００３７】
直流回路Ｄは、直流電源を含んで構成され、負荷が接続された状態でスイッチ３９ｂが入り状態になることで成立する。
【００３８】
直流回路Ｄのスイッチ３９ｂは、基本的に「入」の状態になっている。なお、詳細については後述するが、負荷（厨房機器５０）がコンセント３８に接続され、専用ブレーカ３６がスマートメータ２０から一次ロック解除の指示情報を受信した場合に「切」の状態になる。スイッチ３９ｂ、３９ｂが開放されると、ＬＥＤ３６ｃに電流が供給されてＬＥＤ３６ｃが点滅する。
【００３９】
ところで、上述したようにスイッチレバー３６ａは、ロック部３６ｂによって操作が規制されているため、直流回路Ｄのスイッチ３９ｂの状態が切り替わってもスイッチレバー３６ａの操作はできない。しかし、仮に、ロック部３６ｂを破壊して、直流回路Ｄのスイッチ３９ｂが「入」の状態でスイッチレバー３６ａを「入」に切り替える操作しても、専用ブレーカ３６が有するブレーカとしての機能によってスイッチレバー３６ａは「切」に戻される。
【００４０】
なお、本実施形態において、直流回路Ｄのスイッチ３９ｂが「入」の状態であって、スイッチレバー３６ａの操作が無効な状態を一次ロック、スイッチ３９ｂを「切」にしてスイッチレバー３６ａの操作を有効にすることを一次ロック解除と称する。また、ロック部３６ｂによってスイッチレバー３６ａを操作が規制されている状態を二次ロック、ロック部３６ｂによるスイッチレバー３６ａの操作の規制を解除することを二次ロック解除と称する。
【００４１】
［厨房機器のプラグ及びコンセントの構成］
図４は厨房機器５０のプラグ５４の正面図である。プラグ５４は、図４に示すように、コンセントとの対向面の中央部に、厨房機器５０の機器仕様情報が記憶されている二次元バーコード５２ａを備えている。
【００４２】
図５は厨房機器５０のプラグ５４を差し込むコンセント３８の外観を示す説明図、図６はコンセント３８の内部構成を示す説明図である。
【００４３】
コンセント３８は、筐体３８ａと、コネクタ部３８ｂ（図６参照）とを備えている。筐体３８ａは、専用タップ５６ａ又は通常タップ５６ｂを着脱自在に収納する収納部３８ｃを備えている。コネクタ部３８ｂは、収納部３８ｃの奥部に設けられており、専用タップ５６ａ又は通常タップ５６ｂに連結する。これにより、専用タップ５６ａ又は通常タップ５６ｂは、専用ブレーカ３６から延びる配線と電気的に接続する。
【００４４】
専用タップ５６ａは、図６（ａ）に示すように、厨房機器５０のプラグ５４に接続されるコネクタ部５７ａと、コネクタ部３８ｂに接続されるプラグ部５７ｂと、二次元バーコード５２ａを読み取る二次元バーコード読取部５８とを備えている。通常タップ５６ｂは、専用タップ５６ａから二次元バーコード読取部５８を外したものである。
【００４５】
新たな厨房機器５０を使用する場合など、機器仕様情報をサーバ１０に送信する場合には、専用タップ５６ａを収納部３８ｃに挿入する。既に機器仕様情報がサーバ１０に登録されている厨房機器５０を使用する場合には通常タップ５６ｂを収納部３８ｃに挿入する。
【００４６】
専用タップ５６ａが収納部３８ｃに収納されると、図６（ａ）に示すように、プラグ部５７ｂとコネクタ部３８ｂとが接続される。更に、厨房機器５０のプラグ５４が専用タップ５６ａに挿入されると、図６（ｂ）に示すように、プラグ５４とコネクタ部５７ａとが接続され、厨房機器５０に電力を供給することが可能な状態になる。
【００４７】
［二次元バーコード読取部の構成］
次に、専用タップ５６ａに設けられた二次元バーコード読取部５８について、図７を参照しながら説明する。
【００４８】
二次元バーコード読取部５８は、カメラ５８ａと、二次元バーコード接近検出部５８ｂと、カメラ動作部５８ｃと、カメラ撮影指示部５８ｄと、コード保持部５８ｅと、読取判定部５８ｆと、二次元バーコード変換部５８ｇと、データ蓄積部５８ｈと、送信部５８ｉと、電源部５８ｊと、を含んで構成されている。
【００４９】
カメラ５８ａは、二次元バーコード５２ａを撮影するものであり、専用タップ５６ａの筐体に設けられている。そして、プラグ５４がおけるコネクタ部５７ａに差し込まれた場合に、図６（ｂ）に示すように、カメラ５８ａが二次元バーコード５２ａに対向する。
【００５０】
二次元バーコード接近検出部５８ｂは、カメラ５８ａの撮影画像に基づいて、二次元バーコード５２ａがカメラ５８ａに、画像取込が可能な位置まで接近したことを検出する。
【００５１】
カメラ動作部５８ｃは、カメラ５８ａに画像取込の動作を実行させる。
【００５２】
カメラ撮影指示部５８ｄは、カメラ動作部５８ｃに画像取込を指示する。
【００５３】
コード保持部５８ｅは、取込まれた二次元バーコードの画像情報を一時保管する。
【００５４】
読取判定部５８ｆは、取込まれた二次元バーコードが正しく読み取れるかどうか判定する。
【００５５】
二次元バーコード変換部５８ｇは、二次元バーコードを文字データ等に変換する。
【００５６】
データ蓄積部５８ｈは、二次元バーコード変換部５８ｇで変換されたデータを一時保管する。
【００５７】
送信部５８ｉは、データ蓄積部５８ｈに蓄積されたデータをスマートメータ２０に送信する。
【００５８】
電源部５８ｊは、二次元バーコード読取部５８に電力を供給する。
【００５９】
具体的に説明すると、二次元バーコード接近検出部５８ｂが二次元バーコード５２ａを検出し、カメラ撮影指示部５８ｄが、画像取込が可能な状態になったと判定した場合に、カメラ動作部５８ｃに画像取込を指示する。これにより、二次元バーコード５２ａの画像情報がコード保持部５８ｅに一時保管される。
【００６０】
読取判定部５８ｆはコード保持部５８ｅに一時保管された二次元バーコード５２ａを正しく読み取れるかどうか判定する。読取判定部５８ｆが正しく読み取れると判定した場合には、二次元バーコード変換部５８ｇで、二次元バーコードを文字データ等に変換し、データ蓄積部５８ｈに二次元バーコード変換部５８ｇで変換されたデータを一時保管する。そして、送信部５８ｉが、スマートメータ２０からの要求に応じて、データ蓄積部５８ｈに蓄積されたデータをスマートメータ２０に送信する。
【００６１】
読取判定部５８ｆが正しく読み取れると判定しない場合には、カメラ撮影指示部５８ｄに再撮影を行うように指示する。
【００６２】
二次元バーコード読取部５８は、専用タップ５６ａがコネクタ部３８ｂに接続され、更にプラグ５４が専用タップ５６ａに差し込まれることによって起動する。そして、二次元バーコード読取部５８は、二次元バーコードの画像取込、二次元バーコードのデータ変換を行い、データ蓄積部５８ｈに機器仕様情報を蓄積した状態で、スマートメータ２０からの機器仕様情報の送信を指示する指示情報を受信するまで待機する。二次元バーコード読取部５８が当該指示情報を受信すると、送信部５８ｉは、機器仕様情報をスマートメータ２０に送信する。
【００６３】
なお、二次元バーコード５２ａの読み取りに成功し、データ蓄積部５８ｈにデータが蓄積された場合には、カメラ５８ａへの電力供給をオフにしてもよい。
【００６４】
［設備機器情報管理システムの制御系］
図８は、サーバ１０、機器管理システム１１、スマートメータ２０及び専用ブレーカ３６が備える機能を示す説明図である。
【００６５】
サーバ１０は、機器情報記憶部１２としての機能を備えている。機器管理システム１１は、照合部１４及び登録部１６としての機能を備えている。機器情報記憶部１２は、専用ブレーカ３６から送信された厨房機器５０の機器仕様情報を記憶する。照合部１４は、受信した機器仕様情報と契約メニュー加入条件との照合チェックを行う。登録部１６は、契約内容をサーバ１０に登録する。
【００６６】
専用ブレーカ３６は、接続検知部６１、第１解除部６２、報知制御部６３、確認受付部６４、第２解除部６５としての機能を備えている。接続検知部６１は、厨房機器５０がコンセント３８に接続されたことを検知する。第１解除部６２は、スマートメータ２０からの指示信号に基づいてスイッチ３９ｂ、３９ｂを切り替える。報知制御部６３は、スマートメータ２０からの指示信号に基づいてＬＥＤ３６ｃの表示状態を切り替える。確認受付部６４は、押しボタン３６ｄが操作された否かを確認する。第２解除部６５は、スマートメータ２０からの指示信号に基づいてロック部３６ｂを動作させる。
【００６７】
スマートメータ２０は、機器情報取得部６６及び登録受付部６７としての機能を備えている。機器情報取得部６６は、二次元バーコード読取部５８から機器仕様情報を取得して、サーバ１０に送信する。登録受付部６７は、需要家による登録確認の操作を受け付け、サーバ１０に送信する。
【００６８】
［機器仕様情報取得処理］
次に、本実施形態における設備機器情報管理システム１において実施される機器仕様情報取得処理について説明する。
【００６９】
図９に示すように、専用ブレーカ３６及びスマートメータ２０において、一次ロック解除（Ｓ１）が実行され、次に二次ロック解除（Ｓ２）が実行される。一次ロック解除及び二次ロック解除が実行され、専用ブレーカ３６のスイッチレバー３６ａが「入」に切り替えることにより、スマートメータ２０によって機器仕様情報の取得が実行される（Ｓ３）。
【００７０】
［一次ロック解除］
図９に示す一次ロック解除（Ｓ１）の処理について、図１０を参照しながら説明する。
【００７１】
厨房機器５０のプラグ５４がコンセント３８に接続されていない状態では、スイッチレバー３６ａはロック部３６ｂによって「切」状態に固定され、ＬＥＤ３６ｃが消灯状態にある。また、スイッチ３９ａ、３９ａは開状態になっており、スイッチ３９ｂ、３９ｂは閉状態になっている（Ｓ１０）。
【００７２】
この状態から、厨房機器５０のプラグ５４が専用タップ５６ａを介してコンセント３８に接続されると（Ｓ１１）、図３に示す直流回路Ｄが閉回路になる（Ｓ１２）。接続検知部６１が、直流回路Ｄが閉回路になったことを検知すると、専用ブレーカ３６からスマートメータ２０に厨房機器５０が接続された旨の接続情報が送信される（Ｓ１３）。
【００７３】
厨房機器５０の接続情報を受信したスマートメータ２０は、スマート分電箱３０内の専用ブレーカ３６に向けて、設備確認（契約している機器に値するか否かの確認）の情報及び一次ロック解除の指示情報を送信する（Ｓ１４）。
【００７４】
専用ブレーカ３６が一次ロック解除の指示情報を受信すると、第１解除部６２がスイッチ３９ｂ、３９ｂを開状態に切り替えるととともに、報知制御部６３がＬＥＤ３６ｃの表示を点滅状態に切り替え、押しボタン３６ｄが押下可能な状態であることを報知する（Ｓ１５）。
【００７５】
［二次ロック解除］
図９に示す二次ロック解除（Ｓ２）の処理について、図１１を参照しながら説明する。
【００７６】
押しボタン３６ｄが押下されると（Ｓ２０）、ＬＥＤ３６ｃが消灯するとともに（Ｓ２１）、押しボタン３６ｄが押下された旨がスマートメータ２０に送信され、確認受付部６４が、押しボタン３６ｄが押下されたことを確認する。また、専用ブレーカ３６からスマートメータ２０に電力供給会社の契約上の機器であることの情報が送信される（Ｓ２２）。
【００７７】
この情報を受信したスマートメータ２０は、専用ブレーカ３６に向けて２次ロック解除の指示情報を送信するとともに、機器仕様情報を入手するまで待機する（Ｓ２３、Ｓ２４）。
【００７８】
専用ブレーカ３６が２次ロック解除の指示情報を受信すると、第２解除部６５がロック部３６ｂを作動させて、スイッチレバー３６ａを操作可能な状態に切り替える（Ｓ２５）。
【００７９】
［機器仕様情報取得］
図９に示す機器仕様情報取得（Ｓ３）の処理について、図１２及び図１３を参照しながら説明する。
【００８０】
スイッチレバー３６ａが操作され、「入」状態に切り替えられると、スイッチ３９ａ、３９ａが閉状態になり、厨房機器５０に電力が供給されて、スマートメータ２０と厨房機器５０との間で送受信可能になる（Ｓ３０）。
【００８１】
スイッチ３９ａ、３９ａが閉状態になると、スマートメータ２０（機器情報取得部６６）は専用ブレーカ３６を経由して二次元バーコード読取部５８に機器仕様情報の送信を指示する指示情報を送信し、二次元バーコード読取部５８から機器仕様情報を取得する（Ｓ３１、Ｓ３２）。
【００８２】
そして、スマートメータ２０は、電力供給会社のサーバ１０に機器仕様情報を送信する（Ｓ３３）。
【００８３】
電力供給会社のサーバ１０は、機器仕様情報を機器情報記憶部１２に格納するとともに、機器管理システム１１に送信する（Ｓ３４）。
【００８４】
機器管理システム１１は、需要家との契約メニュー加入条件と、受信した機器仕様情報の照合チェックをする。
【００８５】
照合チェックの結果、合致している場合に、機器管理システム１１は、電力供給会社における社内関係箇所に情報提供通知する。また、機器管理システム１１は、ネットワーク７０を通じて当該厨房機器５０を接続した需要家のスマートメータ２０に、照合結果とともに電力供給会社の契約メニューに該当することの案内情報（契約メニューの加入案内と電力供給会社の問い合わせ番号や注意事項等）を送信する。そして、需要家端末４０の宅内モニタに案内情報を表示させたり、需要家の携帯端末にメール送信する（Ｓ３７）。
【００８６】
需要家は、照合結果及び案内情報を確認し（Ｓ３８）、問題がなければ需要家端末４０あるいは需要家の携帯端末を操作して、登録を許可する（Ｓ３９）。なお、需要家は、電力供給会社からの案内情報から契約に関わる必要資料の提出手続きをする（Ｓ４３）。
【００８７】
登録操作が行われると、登録済情報が、スマートメータ２０から電力供給会社のサーバ１０に向けて送信される（Ｓ４０）。電力供給会社のサーバ１０が登録確認済み情報を受信すると、需要家の厨房機器５０の登録が確定する（Ｓ４１、Ｓ４２）。
【００８８】
照合チェックの結果、合致しない場合に、機器管理システム１１は、スマートメータ２０を経由して専用ブレーカ３６に、スイッチレバー３６ａを「切」にすることと、一次ロック及び二次ロックを行うように指示する指示情報を送信する。指示情報を受信した専用ブレーカ３６は、指示に従ってスイッチレバー３６ａを「切」にすることと、一次ロック及び二次ロックを行う。
【００８９】
また、照合チェックの結果、合致しない場合に、機器管理システム１１は、機器仕様情報に対応する厨房機器５０が存在するか否かサーバ１０に記憶されている情報を検索する。仮に、厨房機器５０を使用していた履歴がある需要家が検出された場合には、機器管理システム１１は、当該需要家との契約の中に厨房機器５０が含まれているか判定し、需要家のレストランで作業をしている工事担当者に連絡をとる。厨房機器５０が契約に含まれていれば、盗品の可能性がある旨を伝え、厨房機器５０の契約に含まれていなければ厨房機器５０の入手経路について需要家に説明を求める。
［効果］
【００９０】
以上説明したように構成された設備機器情報管理システムによれば、次に記載する効果を奏する。
【００９１】
本実施形態によれば、新たな厨房機器５０が専用ブレーカに接続されても、一次ロック解除、二次ロック解除という手順を踏まなければ厨房機器５０を使用することができない。このように、需要家による自由な設備機器の使用に制限がかけられ、例えば、電力供給会社への申し出がなく、厨房機器５０の増設や取替をしたことが判明しやすくなる。また、電力供給会社側にとっては、厨房機器の機器仕様情報を容易に取得できるため、需要家が使用する設備機器に応じた契約メニューを需要家に容易に提案することが可能になる。
【００９２】
また、スマートメータ２０やスマート分電箱３０の専用ブレーカ３６の機能により、確実に機器仕様情報を入手することがきる。また、電力供給会社から需要家に向けての訪問確認の頻度を低減することができる。また、電力供給会社側にとっては、将来の厨房機器のスマート化に向けて機器情報の管理がしやすくなる。また、厨房機器５０が盗難にあった場合でも、電力供給会社において照合が確実になされるため、盗難時の対応が可能になる。また、需要家側にとっては、機器の取替増設が容易に可能になり、契約手続きが簡単になる。
【００９３】
また、機器仕様情報を記憶した二次元バーコード５２ａをプラグ５４に設けたことにより、記憶部５２としてＩＣチップのような記憶素子を用いるよりも低コスト化が図れる。
【００９４】
なお、上述した実施形態においては、スマート化された厨房機器５０を例として説明しているが、本発明に係る設備機器は厨房機器５０に限るものではない。また、上述した実施形態においては、コンセント３８が、二次元バーコードを解析してスマートメータ２０に送信しているが、それに限らず、二次元バーコードの画像をスマートメータ２０経由でサーバ１０に送信し、電力供給会社側で二次元バーコードの解析を行うようにしてもよい。更には、電力供給会社側でカメラ５８ａを遠隔制御し、二次元バーコードの画像を電力供給会社側で取り込むようにしてもよい。
【符号の説明】
【００９５】
１  設備機器情報管理システム
５  管理部
１０  サーバ
１１  機器管理システム
１２  機器情報記憶部
１４  照合部
１６  登録部
２０  スマートメータ
３０  スマート分電箱
３２  主幹ブレーカ
３４  分岐ブレーカ
３６  専用ブレーカ
３６ａ  スイッチレバー
３６ｂ  ロック部
３６ｃ  ＬＥＤ
３６ｄ  押しボタン
３８  コンセント
３８ａ  筐体
３８ｂ  コネクタ部
３８ｃ  収納部
３９ａ、３９ｂ  スイッチ
４０  需要家端末
５０  厨房機器
５２  記憶部
５４  プラグ
５６ａ  専用タップ
５６ｂ  通常タップ
５７ａ  コネクタ部
５７ｂ  プラグ部
５８  二次元バーコード読取部
５８ａ  カメラ
５８ｂ  二次元バーコード接近検出部
５８ｃ  カメラ動作部
５８ｄ  カメラ撮影指示部
５８ｅ  コード保持部
５８ｆ  読取判定部
５８ｇ  二次元バーコード変換部
５８ｈ  データ蓄積部
５８ｉ  送信部
５８ｊ  電源部
６１  接続検知部
６２  第１解除部
６３  報知制御部
６４  確認受付部
６５  第２解除部
６６  機器情報取得部
６７  登録受付部
７０  ネットワーク
【図１】
2016135082.tif 000003
【図２】
2016135082.tif 000004
【図３】
2016135082.tif 000005
【図４】
2016135082.tif 000006
【図５】
2016135082.tif 000007
【図６】
2016135082.tif 000008
【図７】
2016135082.tif 000009
【図８】
2016135082.tif 000010
【図９】
2016135082.tif 000011
【図１０】
2016135082.tif 000012
【図１１】
2016135082.tif 000013
【図１２】
2016135082.tif 000014
【図１３】
2016135082.tif 000015